(57)【要約】　　　（修正有）【課題】従来、余剰オゾンを解消するためのオゾン分解手段を必要としたり、電解装置を必要としたり、頻繁にセラミック多孔体充填材の交換を必要としていた。【解決手段】本考案は、第１液噴霧手段を設け第１液貯留槽を設け第１液を循環させる第１液循環装置１と、酸性液充填タンク２と、第２液噴霧手段を設け第２液貯留槽を設け第２液を循環させる第２液循環装置３と、酸化剤充填タンク４と、排液槽５と、悪臭ガス導入系６と、送風機を介装して脱臭ガスを第２液貯留槽に導入する脱臭ガス導入系７と、無臭ガス放出系８と、水を補給する水補給系９と、排液を排水する排液排水系１０と、第１液と第２液とをＰＨ４．０〜９．５に維持させる制御手段に接続したＰＨ計１１及び／又はＯＲＰ計１２とを備え、更に、悪臭ガスの温度を摂氏１０度〜３５度に調整するための熱交換機６ａを介装した。【選択図】　図２
0003098968.tif 000002
【実用新案登録請求の範囲】
【請求項１】
上方に第１液噴霧手段を設け下方に第１液貯留槽を設け第１液を循環させる第１液循環装置と、前記第１液貯留槽に酸性液補充系を介装して酸性液を補充するための酸性液充填タンクと、上方に第２液噴霧手段を設け下方に第２液貯留槽を設け第２液を循環させる第２液循環装置と、前記第２液貯留槽に酸化剤補充系を介装して酸化剤を補充するための酸化剤充填タンクと、排液を貯留する排液槽と、悪臭ガスを第１液貯留槽の上方に導入する悪臭ガス導入系と、送風機を介装して第１液循環装置の上方から脱臭された脱臭ガスを第２液貯留槽の上方に導入する脱臭ガス導入系と、無臭ガスを放出する第２液循環装置の上方に接続した無臭ガス放出系と、前記第１液貯留槽と前記第２液貯留槽とに水を補給する水補給系と、前記第１液貯留槽と前記第２液貯留槽と排液槽とを夫々接続した排液排水系と、前記第１液貯留槽の第１液と前記第２液貯留槽の第２液とのＰＨ値を夫々常時ＰＨ４．０〜９．５に維持させる制御手段に電気的に接続した夫々のＰＨ計及び／又はＯＲＰ計とを備えたことを特徴とする悪臭ガスの脱臭システム。
【請求項２】
前記悪臭ガス導入系に悪臭ガスの温度を摂氏１０度〜３５度に調整するための熱交換機を介装したことを特徴とする請求項１に記載の悪臭ガスの脱臭システム。
【考案の詳細な説明】
【０００１】
【産業上の利用分野】
本考案は悪臭ガスを無臭ガス化する悪臭ガスの脱臭システムに関するものであり、更に詳細には、生ゴミ処理施設、屎尿処理施設、動物飼育施設等から発生するの悪臭ガスを無臭化する悪臭ガスの脱臭システムに関するものである。
【０００２】
【従来技術】
従来、この種の生ゴミ処理施設、屎尿処理施設、動物飼育施設等から発生する悪臭ガスを放出するとの臭い公害に成ることから脱臭するための装置、方法、システム等は既に多数開示されており、例えば、オゾンを使用して脱臭する装置及び方法（特許文献１参照）や、臭素化合物の水溶液を電解装置で電気分解して臭素系酸化剤を調整するもの（特許文献２参照）や、少なくとも２槽のスクラバーを用いて尿素のダスト、アンモニアおよび空気を含む液体から尿素のダストおよびアンモニアを除去する装置（特許文献３参照）、又、セラミック多孔体充填材を担体として苛性ソーダ−次亜鉛酸ソーダ水により気液接触処理する脱臭方法（特許文献４参照）等が開示されている。
【０００３】
【特許文献１】
特開２０００−３００９４１号公報
【特許文献２】
特開２００３−１０３１３７号公報
【特許文献３】
特開２０００−２７９７３６号公報
【特許文献４】
特開２００２−８５９３７号公報
【０００４】
【考案が解決しようとする課題】
然し乍ら、従来の夫々の装置や方法は夫々一長一短を有しており、例えば、オゾンを使用して脱臭する装置及び方法では、オゾンは人体に対して有害であることから、余剰オゾンを解消するためのオゾン分解手段を必要としており、又、臭素化合物の水溶液を電解装置で電気分解して臭素系酸化剤を調整するものでは、電解装置を必要としており、更には、少なくとも２槽のスクラバーを用いて尿素のダスト、アンモニアおよび空気を含む液体から尿素のダストおよびアンモニアを除去する装置では２槽のスクラバーは用いているものの尿素とアンモニアを除去するものであり、悪臭ガスの悪臭を完全に無臭化できなく、更には、セラミック多孔体充填材を担体として苛性ソーダ−次亜鉛酸ソーダ水により気液接触処理する脱臭方法では、頻繁にセラミック多孔体充填材の交換を必要としており、夫々長短を有しているものであった。
【０００５】
【課題を解決するための手段】
本考案は、前述の課題に鑑み、鋭意研鑽の結果、上方に第１液噴霧手段を設け下方に第１液貯留槽を設け第１液を循環させる第１液循環装置と、第１液貯留槽に酸性液補充系を介装して酸性液を補充するための酸性液充填タンクと、上方に第２液噴霧手段を設け下方に第２液貯留槽を設け第２液を循環させる第２液循環装置と、第２液貯留槽に酸化剤補充系を介装して酸化剤を補充するための酸化剤充填タンクと、排液を貯留する排液槽と、悪臭ガスを第１液貯留槽の上方に導入する悪臭ガス導入系と、送風機を介装して第１液循環装置１の上方から脱臭された脱臭ガスを第２液貯留槽の上方に導入する脱臭ガス導入系と、無臭ガスを放出する第２液循環装置の上方に接続した無臭ガス放出系と、第１液貯留槽と前記第２液貯留槽とに水を補給する水補給系と、第１液貯留槽と第２液貯留槽との排液を貯水するための排液槽に接続された排液排水系と、第１液貯留槽の第１液と第２液貯留槽の第２液とのＰＨ値を常時ＰＨ４．０〜９．５に維持させる制御手段に電気的に接続した夫々のＰＨ計及び／又はＯＲＰ計とを備えたものであり、更に、悪臭ガス導入系に悪臭ガスの温度を摂氏１０度〜３５度に調整するための熱交換機を介装したものである。
【０００６】
【考案の作用】
本考案の悪臭ガスの脱臭システムは、悪臭ガスを第１液循環装置に導入し、導入された悪臭ガスに第１液噴霧手段で噴霧させた第１液と気液接触させて第１液に臭気を吸収させ脱臭するもので、脱臭された脱臭ガスは送風機を介装した脱臭ガス導入系で第２液循環装置に導入され、導入された脱臭ガスに第２液噴霧手段で噴霧させた第２液と気液接触させて第２液に臭気を吸収させ無臭化するもので、無臭ガスは第２液循環装置の上方に接続された無臭ガス放出系から放出されるものであり、第１液はＰＨ計の測定に基づいて接続された制御手段を介して酸性液充填タンクから塩酸、硫酸等の酸性液を添加してＰＨ値を常時ＰＨ４．０〜９．５に維持させているもので、第２液はＰＨ計及びＯＰＲ計の測定に基づいて接続された制御手段を介して酸化剤充填タンクから次亜塩素酸ナトリウム、ジクロロイソシアヌール酸ソーダ等の酸化剤を添加してＰＨ値を常時ＰＨ４．０〜９．５に維持させているものであり、更に、導入される悪臭ガスの温度を摂氏１０度〜３０度に熱交換機で調整すると第１液又は第２液への吸収がより良好なものである。
【０００７】
従って、本考案の目的は、強烈な臭気を含む悪臭ガスの臭気を酸性液を添加してＰＨ４．０〜９．５に維持した第１液と酸化剤を添加してＰＨ４．０〜９．５に維持した第２液とを気液接触させることによって無臭化させることを安全確実に行うと共に、ランニングコストを廉価にできる悪臭ガスの脱臭システムを提供するものである。
【０００８】
【考案の実施の形態】
以下、本考案の悪臭ガスの脱臭システムの実施の形態の図面によって具体的に説明する。
【０００９】
図１は本考案の悪臭ガスの脱臭システムの実施の形態を説明するための概要図であり、図２は本考案の悪臭ガスの脱臭システムの次実施の形態を説明するための概要図である。
【００１０】
本考案は悪臭ガスを無臭ガス化する悪臭ガスの脱臭システムに関するものであり、更に詳細には、生ゴミ処理施設、屎尿処理施設、動物飼育施設等から発生するの悪臭ガスを無臭化する悪臭ガスの脱臭システムに関するものであり、請求項１に記載の悪臭ガスの脱臭システムは、上方に第１液噴霧手段１ａを設け下方に第１液貯留槽１ｂを設け第１液を循環させる第１液循環装置１と、前記第１液貯留槽１ｂに酸性液補充系２ａを介装して酸性液を補充するための酸性液充填タンク２と、上方に第２液噴霧手段３ａを設け下方に第２液貯留槽３ｂを設け第２液を循環させる第２液循環装置３と、前記第２液貯留槽３ｂに酸化剤補充系４ａを介装して酸化剤を補充するための酸化剤充填タンク４と、排液を貯留する排液槽５と、悪臭ガスを第１液貯留槽１ｂの上方に導入する悪臭ガス導入系６と、送風機７ａを介装して第１液循環装置１の上方から脱臭された脱臭ガスを第２液貯留槽３ｂの上方に導入する脱臭ガス導入系７と、無臭ガスを放出する第２液循環装置３の上方に接続した無臭ガス放出系８と、前記第１液貯留槽１ｂと前記第２液貯留槽３ｂとに水を補給する水補給系９と、前記第１液貯留槽１ｂと前記第２液貯留槽３ｂとの排液を貯水するための排液槽５に接続された排液排水系１０と、前記第１液貯留槽１ｂの第１液と前記第２液貯留槽３ｂの第２液とのＰＨ値を夫々常時ＰＨ４．０〜９．５に維持させる制御手段に電気的に接続したＰＨ計１１及び／又はＯＲＰ計１２とを備えたものである。
【００１１】
更に、請求項２に記載の悪臭ガスの脱臭システムは、請求項１に記載の悪臭ガスの脱臭システムにおいて、前記悪臭ガス導入系に悪臭ガスの温度を摂氏１０度〜３５度に調整するための熱交換機を介装したものである。
【００１２】
即ち、本考案の悪臭ガスの脱臭システムの第１液循環装置１は、上方に第１液噴霧手段１ａを設け下方に第１液貯留槽１ｂを設けて第１液を循環させるもので、第１液は第１液貯留槽１ｂの下方と上方に設けた第１液噴霧手段１ａを第１液循環用ポンプ１ｃを介装した第１液循環系１ｄを配設して循環させているもので、第１液貯留槽１ｂの上方には後述する悪臭ガス導入系６から悪臭ガスを導入するとともに、後述する水補給系９からは水が補給され、酸性液充填タンク２から酸性液が補充され、第１液のＰＨ値を測定する後述するＰＨ計１１が付設され、第１液循環用ポンプ１ｃを駆動させることで第１液を第１液噴霧手段１ａで噴霧させ悪臭ガスと接触させることで臭気を第１液に吸収させ脱臭するものである。
【００１３】
そして、酸性液充填タンク２は塩酸、硫酸等の酸性液を充填しており、第１液貯留槽１ｂの第１液のＰＨ値を後述するＰＨ計１１の測定に基づいてＰＨ４．０〜９．５に維持させるために酸性液を第１液貯留槽１ｂに補充する酸性液補充用ポンプ２ｂを介装した酸性液補充系２ａを配設しているものである。
【００１４】
次に、第２液循環装置３は上方に第２液噴霧手段３ａを設け下方に第２液貯留槽３ｂを設けて第２液を循環させるもので、第２液は第２液貯留槽３ｂの下方と上方に設けた第２液噴霧手段３ａを第２液循環用ポンプ３ｃを介装した第２液循環系３ｄを配設して循環させているもので、第２液貯留槽３ｂの上方には後述する脱臭ガス導入系７から脱臭ガスを導入するとともに、後述する後述する水補給系９からは水が補給され、酸化剤充填タンク４から酸化剤が補充され、第２液のＰＨ値を測定する後述するＰＨ計１１とＯＲＰ計１２が付設され、第２液循環用ポンプ３ｃを駆動させることで第２液を第２液噴霧手段３ａで噴霧させ脱臭ガスと接触させることで臭気を第２液に吸収させ無臭化するものである。
【００１５】
次いで、酸化剤充填タンク４は次亜塩素酸ナトリウム、ジクロロイソシアヌール酸ソーダ等の酸化剤を充填しており、前記第２液貯留槽３ｂの第２液のＰＨ値を後述するＰＨ計１１及びＯＲＰ計１２の測定に基づいてＰＨ４．０〜９．５に維持させるために酸化剤を第２液貯留槽３ｂに補充する酸化剤補充用ポンプ４ｂを介装した酸化剤補充系４ａを配設しているものである。
【００１６】
更に、排液槽５は後述する排液排水系１０を接続しており、排液排水系１０により第１液貯留槽１ｂと第２液貯留槽３ｂとの余剰液をオーバーフローさせて排水される排液を貯留すると共に、排液を更に下水処理施設等にオーバーフローさせて排水放水系５ａで排水するものであるが、排水は略中性と成っているものである。
【００１７】
更には、悪臭ガス導入系６は生ゴミ処理施設、屎尿処理施設、動物飼育施設等から発生する強烈な悪臭を放つ悪臭ガスを第１液循環装置１の第１液貯留槽１ｂの上方に導入するもので、後述する脱臭ガス導入系７の送風機７ａを駆動させることで吸引され導入されるものである。
【００１８】
そして、脱臭ガス導入系７では送風機７ａを介装して第１液循環装置１の上方から第１液循環装置１で７０％程度脱臭された脱臭ガスを第２液循環装置３の第２液貯留槽３ｂの上方に導入するものであり、導入された脱臭ガスは更に第２液循環装置３で脱臭され無臭化されるものである。
【００１９】
次に、無臭ガス放出系８は第２液循環装置３の上方に接続されており、第２液循環装置３で脱臭され無臭化された無臭ガスを処理設備等を介して大気に放出するものである。
【００２０】
更に、水補給系９は第１液貯留槽１ｂと第２液貯留槽３ｂとの上方と水道水等の水源とに配設された配管であり、第１液貯留槽１ｂと第２液貯留槽３ｂとに水を補給するものである。
【００２１】
次いで、排液排水系１０は第１液貯留槽１ｂと第２液貯留槽３ｂと排液槽５を接続している配管で、第１液貯留槽１ｂと第２液貯留槽３ｂとからオーバーフローさせて排出される排液を排液槽５に排水するためのものであり、更には、悪臭ガス導入系６ドレンも悪臭ガス導入系６にトラップを配して、該トラップから配管により排液槽５に流入させるものである。
【００２２】
そして、ＰＨ計１１は第１液貯留槽１ｂの第１液と第２液貯留槽３ｂの第２液との夫々のＰＨ値を計測するものであり、第１液と第２液とは悪臭ガスの臭気を吸収することからアルカリ性になり酸性液又は酸化剤をＰＨ計１１に電気的に接続された制御手段で制御しながら酸性液補充用ポンプ２ｂ又は酸化剤補充用ポンプ４ｂを駆動させて添加することにより中性に近いＰＨ４．０〜９．５に制御されるものである。
【００２３】
更には、ＯＲＰ計１２は４００〜６００ｍＶの電流を流して、第２液貯留槽３ｂの第２液のＰＨ値を計測すると共に、ＰＨ値を設定したＰＨ４．０〜９．５に接続した制御手段によって制御することで変化させるものである。
【００２４】
そして、図２に図示する如く、次実施の形態において、悪臭ガス導入系６には熱交換機６ａを介装したものであり、悪臭ガスは発酵等をしていると摂氏６５度〜７０度程度まで上昇している場合があり、導入する悪臭ガスの温度を臭気が第１液や第２液に吸収されやすい摂氏１０度〜３５度に冷却調整しているものである。
【００２５】
つまり、本考案の悪臭ガスの脱臭システムは生ゴミ処理施設、屎尿処理施設、動物飼育施設等から発生するの悪臭ガスを悪臭ガス導入系６から第１液循環装置１に導入するものである。
【００２６】
次いで、第１液循環装置１では上方に設けた第１液噴霧手段１ａで第１液貯留槽１ｂに貯留された第１液が噴霧されており、悪臭ガスは第１液の接触が図られ脱臭され脱臭ガスと成るものであるが、第１液はＰＨ計で測定するとともに制御手段によって酸性液充填タンク２に充填されている酸性液を酸性液補充系２ａで補充してＰＨ値をＰＨ４．０〜９．５に維持させているものである。
【００２７】
次に、脱臭ガスは第１液循環装置１の頂部から第２液循環装置３の第２液貯留槽３ｂの上方に送風機７ａを介装して配設された脱臭ガス導入系７で導入され、第２液循環装置３では上方に設けた第２液噴霧手段３ａで第２液貯留槽３ｂに貯留された第２液が噴霧されており、脱臭ガスと第２液の接触が図られ更に脱臭され無臭ガスと成るものであるが、第２液はＰＨ計１１とＯＲＰ計１２で測定するとともに制御手段によって酸化剤充填タンク４に充填されている酸化剤を酸化剤補充系４ａで補充してＰＨ値をＰＨ４．０〜９．５に維持させているものである。
【００２８】
そして、無臭ガスは第２液循環装置３の頂部から無臭ガス放出系８で処理装置等を介して大気に放出されるものであり、更に、第１液貯留槽１ｂと第２液貯留槽３ｂとの排液は配設された排液排水系１０によって排液槽５に貯留され、更に、排液槽５でオーバーフローさせ排液放水系５ａによって下水等に放流されるものである。
【００２９】
【考案の効果】
本考案の悪臭ガスの脱臭システムは、前述の構成により、導入される悪臭ガスの温度を摂氏１０度〜３０度に熱交換機で調整して第１液循環装置に導入し、導入された悪臭ガスに第１液噴霧手段で第１液と接触させ、第１液に臭気を吸収させるものであり、脱臭された脱臭ガスは送風機を介装した脱臭ガス導入系で第２液循環装置に導入され、導入された脱臭ガスに第２液噴霧手段で第２液と接触させて無臭化し、無臭ガスは第２液循環装置の上方に接続された無臭ガス放出系から放出されるものであり、第１液はＰＨ計の測定に基づいて接続された制御手段により適量の酸性液充填タンクから塩酸、硫酸等の酸性液を添加してＰＨ値を常時ＰＨ４．０〜９．５に制御手段で維持させているもので、第２液はＰＨ計及びＯＰＲ計の測定に基づいて接続された制御手段により適量の酸化剤充填タンクから次亜塩素酸ナトリウム、ジクロロイソシアヌール酸ソーダ等の酸化剤を添加してＰＨ値を常時ＰＨ４．０〜９．５に制御手段で維持させているものであり、安全確実に脱臭を行うと共に、ランニングコストを廉価にできるもので、画期的で実用性の高い考案である。
【図面の簡単な説明】
【図１】図１は本考案の悪臭ガスの脱臭システムの実施の形態を説明するための概要図である。
【図２】図２は本考案の悪臭ガスの脱臭システムの次実施の形態を説明するための概要図である。
【符号の説明】
１　　　第１液循環装置
１ａ　　第１液噴霧手段
１ｂ　　第１液貯留槽
１ｃ　　第１液循環用ポンプ
１ｄ　　第１液循環系
２　　　酸性液充填タンク
２ａ　　酸性液補充系
２ｂ　　酸性液補充用ポンプ
３　　　第２液循環装置
３ａ　　第２液噴霧手段
３ｂ　　第２液貯留槽
３ｃ　　第２液循環用ポンプ
３ｄ　　第２液循環系
４　　　酸化剤充填タンク
４ａ　　酸化剤補充系
４ｂ　　酸化剤補充用ポンプ
５　　　排液槽
５ａ　　排液放水系
６　　　悪臭ガス導入系
６ａ　　熱交換機
７　　　脱臭ガス導入系
７ａ　　送風機
８　　　無臭ガス放出系
９　　　水補給系
１０　　排液排水系
１１　　ＰＨ計
１２　　ＯＲＰ計
【図１】
0003098968.tif 000003
【図２】
0003098968.tif 000004